(57)【要約】【課題】  １台の装置で、再生手段からのＢＧＭ音を撮影時にマイク音声に混合して記録する場合、場面よってＢＧＭ音の音量レベルを変えたほうが良い場合があるが、対応されていないので場面ごとに最適なＢＧＭ音効果が得られない。【解決手段】  撮影手段によって撮影された映像信号と、マイクによって集音された音声信号とを記録メディアに記録できるビデオカメラ装置において、任意の記録メディアに記録されている音声データを再生する音声再生手段と、前記音声再生手段からの再生音声と前記マイクからのマイク音声とを所定の混合比率により混合するＭＩＸ手段と、前記マイク音声の音量レベルを検出するレベル検出手段と、前記ＭＩＸ手段及び前記レベル検出手段を制御する制御部と、を設け、前記制御部は、撮影時、前記マイク音声の音量レベルに応じて、前記ＭＩＸ手段における前記マイク音声と前記再生音声との混合比率を自動的に可変するよう制御することを特徴とする。【選択図】  図１
2006148183.tif 000002
【特許請求の範囲】
【請求項１】
撮影手段によって撮影された映像信号と、マイクによって集音された音声信号とを記録メディアに記録できるビデオカメラ装置において、
任意の記録メディアに記録されている音声データを再生する音声再生手段と、前記音声再生手段からの再生音声と前記マイクからのマイク音声とを所定の混合比率により混合するＭＩＸ手段と、前記マイク音声の音量レベルを検出するレベル検出手段と、前記ＭＩＸ手段及び前記レベル検出手段を制御する制御部と、を設け、
前記制御部は、撮影時、前記マイク音声の音量レベルに応じて、前記ＭＩＸ手段における前記マイク音声と前記再生音声との混合比率を自動的に可変するよう制御することを特徴とするビデオカメラ装置。
【請求項２】
請求項１記載のビデオカメラ装置において、
前記制御部は、前記マイク音声の音量レベルが所定のレベルより大きい場合、前記マイク音声の音量レベルｎと前記再生音声の音量レベルｍとの前記混合比率をｘ：ｙ（但し、ｘ≧ｙ）とし、前記マイク音声の音量レベルが所定のレベルより小さい場合は、前記マイク音声の音量レベルｎと前記再生音声の音量レベルｍとの前記混合比率をｘ：ｙ（但し、ｘ＜ｙ）とするよう制御することを特徴とするビデオカメラ装置。
【請求項３】
請求項１又は２記載のビデオカメラにおいて、
前記制御部は、前記マイク音声の音量レベルが所定のレベルより大きい場合は、前記マイク音声の音量レベルｎと前記再生音声の音量レベルｍとの前記混合比率をｘ：ｙ（但し、ｙ＝０）とし、前記マイク音声の音量レベルが所定のレベルより小さい場合は、前記マイク音声の音量レベルｎと前記再生音声の音量レベルｍとの前記混合比率をｘ：ｙ（但し、ｘ＜ｙ）とするよう制御することを特徴とするビデオカメラ装置。
【発明の詳細な説明】
【技術分野】
【０００１】
本発明は、映像信号と音声信号を記録メディアに記録することができるビデオカメラ装置に係り、特に撮影時に音楽等のＢＧＭ音（Ｂａｃｋ  Ｇｒｏｕｎｄ  Ｍｕｓｉｃ）をマイク音声とともに記録する技術に関する。
【背景技術】
【０００２】
本願に関連する技術として以下のものがある。
【０００３】
撮影時、再生装置からのＢＧＭ音の音量レベルをユーザが好みのレベルに調整してマイク音声と混合して記録するようになっている。この従来技術によれば、ＢＧＭ音の記録を撮影と同時に行うことで、めんどうな編集作業を省くことができる。（例えば、特許文献１参照）
また、他の従来技術では、撮影時、再生装置からのＢＧＭ音の音量レベルとマイク音声とを所定のＭＩＸ比で混合して記録するようになっている。尚ここで、ＭＩＸ比は、ユーザにより設定された一定のＭＩＸ比となっている。この従来技術によれば、ＢＧＭ音の記録を撮影と同時に行うことで、めんどうな編集作業を省くことができる。（例えば、特許文献２参照）
【特許文献１】特開平１１−２７５４９８号公報
【特許文献２】特開２００１−３０９２２１号公報
【発明の開示】
【発明が解決しようとする課題】
【０００４】
ところで、実際の結婚式ではスピーチの場面や雑談等の場面といろいろある。このため場面よってＢＧＭ音の音量レベルを変えたほうが良い場合がある。例えば、スピーチの場面時にＢＧＭ音を入れる場合は、スピーチの内容が理解できるようマイク音声は大きくＢＧＭ音は小さめに挿入した方がよい。反対に雑談の場面時には、雑談が隠れるようにマイク音声は小さくＢＧＭ音は大きめに挿入した方がよい。このようにＢＧＭ音を挿入すれば、場面ごとに最適なＢＧＭ音効果が得られる。
【０００５】
しかしながら、上記特許文献１記載の従来技術では、ユーザの調整によりＢＧＭ音の音量レベルを設定しているため、スピーチの場面時にＢＧＭ音の音量レベルを設定した場合、スピーチのマイク音声の音量レベルは大きいため、ＢＧＭ音を小さめに設定したとしてもＢＧＭ音の音量レベル自体も大きなレベルとなる。このため、この設定のままであると、雑談のマイク音声の音量レベル自体は小さいため、雑談の場面時に必要以上のＢＧＭ音となってしまう、すなわち静かな場面の雑談時のＢＧＭ音が大き過ぎるという問題があった。反対に雑談の場面時にＢＧＭ音の音量レベルを設定するとスピーチの場面時のＢＧＭ音が小さくなり、ＢＧＭ音の効果が薄れる。
【０００６】
また、上記特許文献２記載の従来技術では、ユーザによりＭＩＸ比を設定しているため、スピーチの場面時にＢＧＭ音の音量レベルをマイク音声より小さいＭＩＸ比に設定すると、雑談の場面時にもＢＧＭ音がマイク音声より小さくなり、雑談がＢＧＭ音に隠れないという問題があった。反対に雑談の場面時にＢＧＭ音の音量レベルをマイク音声より大きなＭＩＸ比に設定するとスピーチの場面時にもＢＧＭ音が大きくなり、スピーチの内容がわかり辛くなる。
【０００７】
本発明の目的は、上記のような事情に対して、撮影時に任意の記録メディアからの再生音をマイク音声に混合して記録メディアに記録できるビデオカメラ装置において、マイク音声の音量レベルに応じてマイク音声とＢＧＭ音との混合比率を自動的に変えることで、撮影の場面に応じたＢＧＭ音とすることができ、場面ごとに最適なＢＧＭ音効果を得ることのできるビデオカメラ装置を提供することにある。
【課題を解決するための手段】
【０００８】
上記課題を解決するため、本発明は、撮影手段によって撮影された映像信号と、マイクによって集音された音声信号とを記録メディアに記録できるビデオカメラ装置において、任意の記録メディアに記録されている音声データを再生する音声再生手段と、前記音声再生手段からの再生音声と前記マイクからのマイク音声とを所定の混合比率により混合するＭＩＸ手段と、前記マイク音声の音量レベルを検出するレベル検出手段と、前記ＭＩＸ手段及び前記レベル検出手段を制御する制御部と、を設け、前記制御部は、撮影時、前記マイク音声の音量レベルに応じて、前記ＭＩＸ手段における前記マイク音声と前記再生音声との混合比率を自動的に可変するよう制御することを特徴とする。このように、マイク音声の音量レベルによりＢＧＭ音の混合比率を変更できることにより、撮影の場面に応じたＢＧＭ音とすることができ、場面ごとに最適なＢＧＭ音効果が得られる。
【０００９】
さらに、前記制御部は、前記マイク音声の音量レベルが所定のレベルより大きい場合、前記マイク音声の音量レベルｎと前記再生音声の音量レベルｍとの前記混合比率をｘ：ｙ（但し、ｘ≧ｙ）とし、前記マイク音声の音量レベルが所定のレベルより小さい場合は、前記マイク音声の音量レベルｎと前記再生音声の音量レベルｍとの前記混合比率をｘ：ｙ（但し、ｘ＜ｙ）とするよう制御することを特徴とする。これにより、スピーチの場面時にはマイク音声をＢＧＭ音より大きくできるのでスピーチの内容がわかり易い。また、雑談の場面時にはマイク音声をＢＧＭ音より小さくできるので、雑談が隠れＢＧＭ効果が得られる。
【００１０】
さらに、前記制御部は、前記マイク音声の音量レベルが所定のレベルより大きい場合は、前記マイク音声の音量レベルｎと前記再生音声の音量レベルｍとの前記混合比率をｘ：ｙ（但し、ｙ＝０）とし、前記マイク音声の音量レベルが所定のレベルより小さい場合は、前記マイク音声の音量レベルｎと前記再生音声の音量レベルｍとの前記混合比率をｘ：ｙ（但し、ｘ＜ｙ）とするよう制御することを特徴とする。これにより、雑談の場面時にはＢＧＭ音で雑談を隠し、スピーチの場面時にはＢＧＭ音をなくしマイク音のみとすることで、スピーチの内容がさらにわかりやすくなる。
【発明の効果】
【００１１】
本発明によれば、撮影時に任意の記録メディアからの再生音をマイク音声に混合記録メディアに記録できるビデオカメラ装置において、マイク音声の音量レベルに応じてマイク音声とＢＧＭ音との混合比率を自動的に変えて記録することで、煩わしい編集作業を不要としながら撮影の場面に応じたＢＧＭ音とすることができ、場面ごとに最適なＢＧＭ音効果を得ることができる。
【発明を実施するための最良の形態】
【００１２】
以下に本発明の一実施例を図面を用いて説明する。
【実施例１】
【００１３】
本発明に係るビデオカメラ装置の構成及び動作概要を図１を用いて説明する。図１は、本発明に係るビデオカメラ装置の主要部の構成を示したブロック図である。
【００１４】
記録系の映像信号は、撮影モード時には撮影レンズ１及びＣＣＤ（Ｃｈａｒｇｅ  Ｃｏｕｐｌｅｄ  Ｄｅｖｉｃｅ）等の変換素子からなる撮影素子２で生成された映像信号が、ＳＷ（選択）回路及びＡＧＣ回路を含み各種信号を補正する映像回路３及びアナログの映像信号をデジタルの映像データに変換するＡ／Ｄ６を介し、映像データとして映像／音声入力処理１０に入力される。また、外部入力モード時には、外部入力端子４から入力された映像信号が、入力Ｉ／Ｆ５、映像回路３、Ａ／Ｄ６を介して及び映像／音声入力処理１０に入力される。尚、映像回路３で、撮影モードか外部入力モードかの選択をＣＰＵ（Ｃｅｎｔｒａｌ  Ｐｒｏｃｅｓｓｉｎｇ  Ｕｎｉｔ）１２からの指令により選択している。
【００１５】
一方、音声信号は、撮影モード時にはマイク７から入力されたマイク音声信号が、ＡＭＰ８により所定の信号レベルまで増幅されＭＩＸ回路２６を通りＳＷ（選択）回路とＡＬＣ回路を含む音声Ａ／Ｄ９にてデジタルの音声データに変換後、映像/音声入力処理１０に入力される。また、外部入力モード時には、外部入力端子４から入力された音声信号が、入力Ｉ／Ｆ５、音声Ａ／Ｄ９を介して映像／音声処理１０に入力される。尚、音声Ａ／Ｄ９で、撮影モードか外部入力モードかの選択をＣＰＵ１２からの指令により選択している。
【００１６】
映像／音声入力処理１０に入力された映像データ及び音声データはＭＰＥＧ２（Ｍｏｖｉｎｇ  Ｐｉｃｔｕｒｅ  Ｅｘｐｅｒｔｓ  Ｇｒｏｕｐ  ２）等の所定の方式で符号化され、さらに記録メディアＡ１６または、記録メディアＢ１７に対応したフォーマットに処理され、各種情報とともに記録データとして各記録メディアに記録される。
【００１７】
再生系の映像信号及び音声信号は、記録メディアＡ１６または、記録メディアＢ１７から再生された再生データが映像／音声出力処理１８にて映像データと音声データに分離されるとともに復号化され、Ｄ／Ａ１９にてアナログの映像信号に変換し出力Ｉ／Ｆ２０を介して外部出力端子２１から出力され映像情報を外部機器に供給できるようになっている。また、液晶モニター３０が搭載されていれば、出力Ｉ／Ｆ２０にてＲ、Ｇ、Ｂの信号に変換し出力し液晶モニター３０に映像の表示を行うこともできる。音声データも同様にＤ／Ａ２２にてアナログの音声信号に変換し、可変ＡＭＰ２３及び出力Ｉ／Ｆ２０を介して外部出力端子２１から出力され音声情報を外部機器に供給できる。また、可変ＡＭＰ２３にて音声信号を増幅し、スピーカー２４より出力することも可能である。
【００１８】
また、固定内蔵メモリ１５は、ＢＧＭ音に使用するための拍手/歓声などの固定パターンの音楽データが予め記憶されている。固定内蔵メモリ１５の音楽データはバス１１を経由して映像／音声出力処理１８、Ｄ／Ａ２２、可変ＡＭＰ２３を介して所定のレベルの再生音声信号となり、この再生音声信号は、ＳＷ回路２５を介してＭＩＸ回路２６に入力され、マイク７からのマイク音声と混合される。ここで、ＢＧＭ音に使用したい音楽を追加したい場合には、ＢＧＭ音を外部入力端子４より入力し、入力Ｉ／Ｆ５、音声Ａ／Ｄ９、映像／音声入力処理１０、バス１１の経路から予め記憶しておくことも可能である。
【００１９】
尚、本ビデオカメラ装置は、撮影モード時に撮像素子２からの映像信号とマイク７からのマイク音声信号とを両記録メディアに記録する記録系の各部と、両記録メディア及び固定内蔵メモリの音声データ（音楽データ）を再生する再生系とは独立してそれぞれ駆動できるものである。
【００２０】
本ビデオカメラ装置の各部はバス１１によって接続されており、操作部１３より入力された指令をＣＰＵ１２が各部を制御することにより実行させている。制御用のプログラムは、フラッショメモリ１４に格納されている。
【００２１】
ＡＭＰ８の後段にはマイク音声の音量レベルを検出するためのレベル検出回路２８があり、マイク７からのマイク音声の音量レベルを検出してＣＰＵ１２に情報を供給する。ＣＰＵ１２にてマイク７からのマイク音声の音量レベルを認識して可変ＡＭＰ２３の出力音量レベルを制御し、マイク７からのマイク音声の音量レベルに応じた混合比率となるようにしている。制御動作は、マイク７からのマイク音声の音量レベルが所定のレベルより小さい場合には、マイク音声より大きなＢＧＭ音となる混合比率となるように可変ＡＭＰ２３の増幅量を可変する。逆にマイク７からのマイク音声の音量レベルが所定のレベルより大きい場合には、マイク音声より小さなＢＧＭ音となる混合比率となるように可変ＡＭＰ２３の増幅量を可変する動作を行う。尚、制御動作の詳細は図２で後述する。
【００２２】
ここで、本発明に係る撮影モードでのＢＧＭ音挿入の動作を説明する。本実施例では、記録メディアＡ１６を光ディスク、記録メディアＢ１７を着脱自在のメモリカードとし、ＢＧＭ音再生用の音楽データは固定内蔵メディア１５と記録メディアＢ１７にあり、どちらかを選択できることとして説明する。
【００２３】
撮影モード時に操作部１３によりＢＧＭ音記録ＯＮ／ＯＦＦの選択及び、ＢＧＭ音の音源を固定内蔵メモリ１５または、記録メディアＢ１７のどちらにするかの選択を行いさらに複数のＢＧＭ音用の音楽データがある場合には、その選択もできる。
【００２４】
ＢＧＭ音記録ＯＮ、固定内蔵メモリ１５を選択した場合には、ＣＰＵ１２からＳＷ回路２５を制御してＯＮ状態にし、固定内蔵メモリ１５からＢＧＭ音用の音楽データを再生し、映像/音声出力処理１８、Ｄ／Ａ２２、可変ＡＭＰ２３を介してＳＷ回路２５、ＭＩＸ回路２６にＢＧＭ音の信号が送られ、マイク７からのマイク音声と混合される。また、マイク７からのマイク音声の信号と可変ＡＭＰ２３からのＢＧＭ音の信号を混合した音声信号は、ＨＰＡＭＰ２９よりヘッドホン端子２７に送られ、ヘッドホン等で混合された音声を確認できるようになっている。
【００２５】
ここで、操作部１３から記録の操作がされると、混合された音声信号は、音声Ａ／Ｄ９でデジタル信号に変換され映像／音声入力処理１０を介し音楽データとなり映像データと一緒に記録メディアＡ１６に保存される。
【００２６】
また、記録メディアＡ１６がＤＶＤ等の記録再生が同時にできるものであれば、一つの記録メディアでＢＧＭ音の再生及び、撮影記録が同時にできる。
【００２７】
また、記録メディアＢ１７をメモリカードとすることで、他の装置により予め音楽データを記録しておいたものをすぐに使用することができるので、わざわざ本装置で予め記録する手間を省くことも可能である。
【００２８】
また、記録メディアは本実施例の光ディスクやメモリカードに限ったものでなくても構わない。さらに、記録メディアＢ１７や固定内蔵メモリ１５は、必ずしもなければならないということではなく、同時に記録／再生ができる記録メディアであれば１つでも構わない。
【００２９】
以上により、簡単に撮影と同時にマイク７からのマイク音声の音量レベルに応じてマイク音声とＢＧＭ音との混合比率を自動的に変えて記録することで、煩わしい編集作業を不要としながら撮影の場面に応じたＢＧＭ音とすることができ、場面ごとに最適なＢＧＭ音効果を得ることができる。
【００３０】
次に、マイク音声の音量レベルに応じて混合比率を可変する制御動作を図２を用いて説明する。図２にマイク音声の音量レベルに対するＢＧＭ音の音量レベルを示す。縦軸は音量の平均レベルを、横軸は時間経過を表している。
【００３１】
マイク７からのマイク音声の音量レベル５１は、雑談時の区間ａでは低い音量レベルとなっており、スピーチが開始されると区間ｂでは大きな音量レベルとなり、スピーチが終わると区間ｃでは低い音量レベルとなっている。
【００３２】
ここで、区間ａ、ｃではマイク音声の音量レベル５１は、比較用の所定のレベルとして設定してある混合比率の変更レベル５３より低いため、混合比率を
マイク音声：ＢＧＭ音＝３：７
となるように可変ＡＭＰ２３の増幅量を制御して、ＢＧＭ音の音量レベル５２がマイク音声の音量レベル５１より大きな音量レベルとなるようにする。これにより、雑談の場面時にはマイク音声がＢＧＭ音より小さいので、雑談が隠れＢＧＭ効果が得られる。
【００３３】
また、区間ｂでは混合比率の変更レベル５３より高いため、混合比率を
マイク音声：ＢＧＭ音＝７：３
となるように可変ＡＭＰ２３の増幅量を制御して、マイク音声の音量レベル５１がＢＧＭ音の音量レベル５２より大きな音量レベルとなるようにする。これにより、スピーチの場面時にはマイク音声がＢＧＭ音より大きいのでスピーチの内容がわかり易い。
【００３４】
尚、混合比率は本実施例による数値に限定されるものではなく、マイク音声の音量レベルが混合比率の変更レベル５３より低い場合は、マイク音声をＢＧＭ音より小さくし、
混合比率の変更レベル５３より大きい場合は、マイク音声をＢＧＭ音より大きくなるようになっていれば混合比率の数値を変えても構わない。
【００３５】
また、本実施例は比較用の所定レベルである混合比率の変更レベル５３が１つで混合比率が２段階の場合で説明したが、比較用の所定レベルを複数個持ち、混合比率を多段階に変更するようにしても構わない。
【００３６】
次に、図４に本発明による撮影時にＢＧＭ音を同時に記録する時の操作及び処理フローを示し、処理の流れを図４を用いて説明する。操作部１３からの操作により本ビデオカメラ装置の電源をＯＮするとステップ６１で本ビデオカメラ装置が起動し、ステップ６２で記録メディアＡ１６の有り／無しの判別を行う。無しの場合には、ステップ７０でキー入力待ちとなり次の操作待ちとなる。ステップ６２で記録ディスクＡ１６有り場合には、ステップ６３でＢＧＭ入／切を操作部１３からのキー操作でユーザが選択を行う。切りを選択した場合は、ＳＷ回路２５をＯＦＦし、撮像素子２からの映像信号とマイク７からのマイク音声とを記録メディアＡ１６に記録できる状態とし、ステップ７０でキー入力待ちとなり次の記録開始操作等の操作待ちとなる。
【００３７】
ステップ６３でＢＧＭ入りを選択した場合には、さらにステップ６４でＢＧＭ音の音源として使用するのは固定内蔵メモリ１５か記録メディアＢ１７かの選択を行う。記録メディアＢ１７を選択した場合には、ステップ７１で記録メディアＢ１７の有り／無しを判別する。ステップ７１で記録ディスクＢ１７が無しの場合には、ステップ６３のＢＧＭ入／切に戻る。ステップ７１で記録メディアＢ１７が有りの場合には、ステップ６６で記録メディアＢ１７に記憶されている複数の音楽データから好みのＢＧＭ用の音楽曲を選択し、ステップ６８でＳＷ回路２５をＯＮし、マイク７からのマイク音声の音量レベルをレベル検出回路２８で検出して、検出した音量レベルと混合比率の変更レベル５３とを比較して、それぞれの比較結果に対応した混合比率となるよう可変ＡＭＰ２３を制御して、撮像素子２からの映像信号と、マイク７からのマイク音声と記録メディアＢ１７から再生したＢＧＭ音とを混合した音声信号とを記録メディアＡ１６に記録できる状態とし、ステップ７０でキー入力待ちとなり次の記録開始操作等の操作待ちとなる。
【００３８】
ステップ６４で固定内蔵メモリ１５を選択した場合には、ステップ６５で固定内蔵メモリ１５に記憶されている複数の音楽データから好みのＢＧＭ用の音楽曲を選択し、ステップ６７でＳＷ回路２５をＯＮし、マイク７からのマイク音声の音量レベルをレベル検出回路２８で検出して、検出した音量レベルと混合比率の変更レベル５３とを比較して、それぞれの比較結果に対応した混合比率となるよう可変ＡＭＰ２３を制御して、撮像素子２からの映像信号と、マイク７からのマイク音声と記録メディアＢ１７から再生したＢＧＭ音とを混合した音声信号とを記録メディアＡ１６に記録できる状態とし、ステップ７０でキー入力待ちとなり次の記録開始操作等の操作待ちとなる。
【実施例２】
【００３９】
次に、本発明の第２の実施例であるマイク音声の音量レベルが大きい時にＢＧＭ音を停止する場合の制御動作を図３を用いて説明する。図３に本発明の第２の実施例であるマイク音声の音量レベルに対するＢＧＭ音の音量レベルを示す。縦軸は音量の平均レベルを、横軸は時間経過を表している。
【００４０】
マイク７からのマイク音声の音量レベル５４は、雑談時の区間ｄでは低い音量レベルとなっており、スピーチが開始されると区間ｅでは大きな音量レベルとなり、スピーチが終わると区間ｆでは低い音量レベルとなっている。
【００４１】
ここで、区間ｄ、ｆではマイク音声の音量レベル５４は、比較用の所定のレベルとして設定してあるＢＧＭ音の停止レベル５６より低いため、混合比率を
マイク音声：ＢＧＭ音＝３：７
となるように可変ＡＭＰ２３の増幅量を制御して、ＢＧＭ音の音量レベル５５がマイク音声の音量レベル５４より大きな音量レベルとなるようにする。これにより、雑談の場面時にはマイク音声がＢＧＭ音より小さいので、雑談が隠れＢＧＭ効果が得られる。
【００４２】
また、区間ｅではマイク音声の音量レベル５４は、比較用の所定のレベルとして設定してあるＢＧＭ音の停止レベル５６より高いため、スイッチ回路２５をオフしてＢＧＭ音の音量レベルを「０」とする。これにより、雑談の場面時にはＢＧＭ音で雑談を隠し、スピーチの場面時にはＢＧＭ音をなくしマイク音のみとすることで、スピーチの内容がさらにわかりやすくなる。
【００４３】
尚、混合比率は本実施例による数値に限定されるものではなく、マイク音声の音量レベルがＢＧＭ音の停止レベル５６より低い場合は、マイク音声をＢＧＭ音より小さくなるようになっていれば混合比率の数値を変えても構わない。
【００４４】
また、本実施例は比較用の所定レベルであるＢＧＭ音の停止レベル５３が１つで混合比率が２段階の場合で説明したが、比較用の所定レベルとして混合比率の変更レベルとＢＧＭ音の停止レベルとを複数個持ち、混合比率を多段階に変更するようにしても構わない。
【００４５】
尚、本実施例では、混合比率を変える方法は可変ＡＭＰ２３の増幅量で制御しているが、他の方法でも良い。例えば、ＭＩＸ回路２６で混合比率を変えられるようにしても構わない。
【図面の簡単な説明】
【００４６】
【図１】実施例１に係るビデオカメラ装置の主要部の構成を示したブロック図
【図２】マイク音声の音量レベルに対するＢＧＭ音の音量レベル
【図３】実施例２であるマイク音声の音量レベルに対するＢＧＭ音の音量レベル
【図４】実施例による撮影時にＢＧＭ音を同時に記録する時の操作及び処理フロー
【符号の説明】
【００４７】
１…撮影レンズ、２…撮影素子、３…映像回路、４…外部入力端子、５…入力Ｉ／Ｆ、
６…Ａ／Ｄ、７…マイク、８…ＡＭＰ、９…音声Ａ／Ｄ、１０…映像／音声入力処理、
１１…バス、１２…ＣＰＵ、１３…操作部、１４…フラッシュメモリ、
１５…固定内蔵メモリ、１６…記録メディアＡ、１７…記録メディアＢ、
１８…映像／音声出力処理、１９…Ｄ／Ａ、２０…出力Ｉ／Ｆ、
２１…外部出力端子、２２…Ｄ／Ａ、２３…可変ＡＭＰ、２４…スピーカー、
２５…ＳＷ回路、２６…ＭＩＸ回路、２７…ヘッドホン端子、２８…レベル検出回路、
２９…ＨＰＡＭＰ、３０…液晶モニター、
５１、５４…マイク音声の音量レベル、５２、５５…ＢＧＭ音の音量レベル、
５３…混合比率の変更レベル、５６…ＢＧＭ音の停止レベル
【図１】
2006148183.tif 000003
【図２】
2006148183.tif 000004
【図３】
2006148183.tif 000005
【図４】
2006148183.tif 000006